(57)【特許請求の範囲】
【請求項１】
前面側に収納部を有したキャビネット本体に、前記収納部を塞ぐ位置と塞がない位置との間で開閉自在に横並びに並設された複数の鏡と、各鏡の間に上下方向に亘って取着された照明装置と、を備えたミラーキャビネットにおいて、
前記照明装置は、前記鏡の開閉状態と連動して照射方向を変えるものであり、前記鏡を閉じた状態では前方を照らし、前記鏡を開いた状態では該開いた鏡に対応する収納部を照らすように上下方向の軸廻りに回転自在に保持されていることを特徴とするミラーキャビネット。
【請求項２】
前記照明装置は、前記鏡を開いた状態では弾性付勢された状態で保持されており、前記鏡を閉じた状態では弾性付勢に抗した状態で保持されていることを特徴とする請求項１に記載のミラーキャビネット。
【請求項３】
上下方向の軸廻りに回転自在であって前記鏡の開閉動作と連動して前記照明装置を回転させる駆動部材を備えており、前記駆動部材は、前記照明装置の軸廻りに形成された第１歯車と係合して前記照明装置を回転させる第２歯車が軸廻りに形成されていることを特徴とする請求項２に記載のミラーキャビネット。
【請求項４】
前記鏡は側方向一方側で上下方向の軸廻りに回転自在に保持され、前記鏡の回転軸と前記照明装置の回転軸とが各々軸中心点から偏心させた位置で連結棒にて連結され、前記鏡の回転に連動して前記照明装置が回転することを特徴とする請求項１に記載のミラーキャビネット。
【請求項５】
前面側に収納部を有したキャビネット本体に、前記収納部を塞ぐ位置と塞がない位置との間で開閉自在に横並びに並設された複数の鏡と、各鏡の間に上下方向に亘って取着された照明装置と、を備えたミラーキャビネットにおいて、
前記照明装置は、隣合う閉じた状態の鏡のうち一方側の鏡の側面に向けて照射する方向に配設され、該照明装置の照射方向の鏡の側端面には、前記鏡を閉じた状態において前記照明装置から照射された光を前方に向けて反射する反射部を有していることを特徴とするミラーキャビネット。
【請求項６】
前記反射部の前方に透明カバーが取着されていることを特徴とする請求項５に記載のミラーキャビネット。
【発明の詳細な説明】
【技術分野】
【０００１】
本発明は、ミラーキャビネットに関する。
【背景技術】
【０００２】
従来、前面側に収納部を有したキャビネット本体に、収納部を塞ぐ位置と塞がない位置との間で開閉自在に横並びに並設された複数の鏡と、各鏡の間に上下方向に亘って取着された照明装置とを備えたミラーキャビネットが知られている（例えば、特許文献１参照）。
【０００３】
この特許文献１のミラーキャビネットは、照明装置の光源が鏡の裏側に設けられており、鏡を開くことで光源の光を鏡に反射させることができる。ミラーキャビネットが設置される洗面所等は一般的には薄暗いことが多いが、このミラーキャビネットによれば、鏡を開いて光源の光を鏡で反射させることによって使用者を十分な光量で照明することができる。しかしながら、特許文献１のミラーキャビネットは、キャビネット本体の収納部を照明装置で照明する構成を有しておらず、収納部を使用する際には収納部が見づらいという問題がある。
【０００４】
一方、特許文献２のミラーキャビネットは、前面側に収納部を有したキャビネット本体に、収納部を塞ぐ位置と塞がない位置との間で開閉自在に回転可能な横並びに並設された複数の鏡と、鏡の裏面に配設される照明装置とを備えている。このミラーキャビネットによれば、隣合う鏡を回転させてそれぞれの鏡を開くことで、隣合う一方の鏡の後方の収納部を隣合う他方の鏡の裏面の照明装置によって照らすことができる。
【先行技術文献】
【特許文献】
【０００５】
【特許文献１】特開２０００−４１７５９号公報
【特許文献２】実開平４−１２３１３０号公報
【発明の概要】
【発明が解決しようとする課題】
【０００６】
しかしながら、特許文献２のミラーキャビネットは、収納部を使用する際、その収納部を照明するためには隣側の鏡を回転させてその裏面の照明装置の照射方向を収納部に向ける必要があり、煩わしいという問題がある。
【０００７】
本発明は、以上のとおりの事情に鑑みてなされたものであり、キャビネット本体の収納部を使用する際にはその収納部を簡便に照らすことができ、収納部を使用しない時には使用者を照らすことができるミラーキャビネットを提供することを課題としている。
【課題を解決するための手段】
【０００８】
上記の課題を解決するために、本発明のミラーキャビネットは、前面側に収納部を有したキャビネット本体に、前記収納部を塞ぐ位置と塞がない位置との間で開閉自在に横並びに並設された複数の鏡と、各鏡の間に上下方向に亘って取着された照明装置と、を備えたミラーキャビネットにおいて、前記照明装置は、前記鏡の開閉状態と連動して照射方向を変えるものであり、前記鏡を閉じた状態では前方を照らし、前記鏡を開いた状態では該開いた鏡に対応する収納部を照らすように上下方向の軸廻りに回転自在に保持されていることを特徴とする。
【０００９】
このミラーキャビネットにおいては、前記照明装置は、前記鏡を開いた状態では弾性付勢された状態で保持されており、前記鏡を閉じた状態では弾性付勢に抗した状態で保持されていることが好ましい。
【００１０】
このミラーキャビネットにおいては、上下方向の軸廻りに回転自在であって前記鏡の開閉動作と連動して前記照明装置を回転させる駆動部材を備えており、前記駆動部材は、前記照明装置の軸廻りに形成された第１歯車と係合して前記照明装置を回転させる第２歯車が軸廻りに形成されていることが好ましい。
【００１１】
このミラーキャビネットにおいては、前記鏡は側方向一方側で上下方向の軸廻りに回転自在に保持され、前記鏡の回転軸と前記照明装置の回転軸とが各々軸中心点から偏心させた位置で連結棒にて連結され、前記鏡の回転に連動して前記照明装置が回転することが好ましい。
【００１２】
また、本発明のミラーキャビネットは、前面側に収納部を有したキャビネット本体に、前記収納部を塞ぐ位置と塞がない位置との間で開閉自在に横並びに並設された複数の鏡と、各鏡の間に上下方向に亘って取着された照明装置と、を備えたミラーキャビネットにおいて、前記照明装置は、隣合う鏡のうち閉じた状態の一方側の鏡の側端面に向けて照射する方向に配設され、前記一方側の鏡の側端面には、前記鏡を閉じた状態において前記照明装置から照射された光を前方に向けて反射する反射部を有していることを特徴とする。
【００１３】
このミラーキャビネットにおいては、前記反射部の前方に透明カバーが取着されていることが好ましい。
【発明の効果】
【００１４】
本発明のミラーキャビネットによれば、キャビネット本体の収納部を使用する際にはその収納部を簡便に照らすことができ、収納部を使用しない時には使用者を照らすことができる。
【図面の簡単な説明】
【００１５】
【図１】（ａ）は、本発明の実施形態に係るミラーキャビネットを備えた洗面化粧台であり、（ｂ）は（ａ）の洗面化粧台のＸ−Ｘ線断面図であり、（ｃ）は（ｂ）の洗面化粧台においてミラーキャビネットの中央ミラーを開いた状態を示す断面図である。
【図２】図１の洗面化粧台のミラーキャビネットに設けられた照明装置の斜視図及びＡ部の分解斜視図である。
【図３】本発明の一実施形態であるミラーキャビネットを備えた洗面化粧台の要部を示した斜視図及びＢ部拡大図であり、ミラーキャビネットの鏡を閉じた状態を示している。
【図４】図３の洗面化粧台の要部を示した斜視図であり、ミラーキャビネットの中央ミラーを開いた状態を示している。
【図５】中央ミラーの開閉動作と連動する駆動部材の動作を説明するための模式図である。
【図６】本発明の別の一実施形態であるミラーキャビネットを備えた洗面化粧台の要部を示した斜視図であり、（ａ）は鏡を閉じた状態、（ｂ）は鏡を開いた状態を示す。
【図７】本発明のさらに別の一実施形態であるミラーキャビネットを備えた洗面化粧台の要部を示した斜視図及びＣ部拡大図であり、ミラーキャビネットの中央ミラーを閉じた状態を示している。
【図８】図７の洗面化粧台の要部を示した斜視図であり、ミラーキャビネットの中央ミラーを開いた状態を示している。
【発明を実施するための形態】
【００１６】
以下、図面を参照して本発明に係るミラーキャビネットの実施形態を説明する。なお、以下の実施形態において、上下左右は、図１に示す向きである。また、洗面化粧台に対面した使用者から見て洗面化粧台の手前側を前、奥側を後、左右方向を側方向として説明する。
【００１７】
図１（ａ）は、本発明の実施形態に係るミラーキャビネットを備えた洗面化粧台であり、（ｂ）は（ａ）の洗面化粧台のＸ−Ｘ線断面図であり、（ｃ）は（ｂ）の洗面化粧台においてミラーキャビネットの中央ミラーを開いた状態を示す断面図である。
【００１８】
図１の洗面化粧台１は、洗面台２とミラーキャビネット７０とを備えている。
洗面台２の上部には、洗面ボウル３を有したカウンター４が設置固定されており、カウンター４は、洗面ボウル３とともに合成樹脂等で一体に成形されている。洗面台２は箱状に形成されており、内部が収納空間や配管設置空間とされ、扉や引き出し等を備える。カウンター４の後端上にはバックガード部５が一体に立設されており、このバックガード部５の前面の側方向中央部分には、吐水カラン６が突設されている。また、バックガード部５の前面において、吐水カラン６よりもやや側方向外側寄りの位置に、吐水カラン６から吐出される湯水の量や温度を調節する操作レバー７が突設されている。吐水カラン６から吐出される湯水によって洗面ボウル３内で洗面、手洗い、衣類の洗い物作業等の作業が行われる。
【００１９】
バックガード部５上には、前面開口の箱状のキャビネット本体８が立設されている。このキャビネット本体８は、その内部が縦板１３によって区画されており、キャビネット本体８の前面側には、正面視矩形形状の開口を前面に有する複数の収納部９が形成されている。
【００２０】
収納部９の前面側には、複数の鏡１０が横並びに設けられている。各鏡１０は、各収納部９に対応して形成されており、正面視矩形形状を有して上下方向に延びている。各鏡１０は、各収納部９の開口全面を塞ぐ位置と塞がない位置との間で開閉自在に設けられている。収納部９の開口前面を塞ぐ位置に鏡１０が配置された状態が鏡１０を閉じた状態であり、収納部９の開口前面を塞がない位置に鏡１０が配置された状態が鏡１０を開いた状態である。鏡１０の開閉は、鏡１０の一方側の側端部を軸支して片開き式に行うことができる。
【００２１】
本実施形態では、３つの収納部９とこれに対応する３枚の鏡１０を有しているが、その数はこれに限定されるものではない。３枚の鏡１０は、一対のサイドミラー１１,１１とその間の中央ミラー１２を構成し、三面鏡を形成する。三面鏡の中央ミラー１２は、キャビネット本体８前面の側方向中央部分に配置されており、洗面化粧台１に対面した使用者は、中央ミラー１２と相対する。
【００２２】
各鏡１０の間には、上下方向に亘って照明装置２０が取着されている。図１の洗面化粧台１は、照明装置２０が２つあり、サイドミラー１１と中央ミラー１２との間にそれぞれ配設されている。照明装置２０は、長尺形状を有しており、鏡１０の上端側から下端側にかけて延出する形で配設され、中央ミラー１２の両側に縦型に設置されている。
【００２３】
このようにミラーキャビネット７０は、前面側に収納部９を有したキャビネット本体８の収納部９の前面側に、収納部９を開閉自在に閉塞する複数の鏡１０が横並びに並設されており、各鏡１０の間には上下方向に亘って照明装置２０が取着されている。
【００２４】
照明装置２０は、前方又は収納部９を照射可能とされており、鏡１０の開閉状態と連動して照射方向を変えている。具体的には、鏡１０を閉じた状態では、照明装置２０は、図１（ｂ）に示されるように前方を照射する。図１（ｃ）は中央ミラー１２を開いた状態であり、右側の照明装置２０は、開いた鏡１０（中央ミラー１２）側の側方向の照射によって開いた鏡１０に対応する収納部９を照らす。この照明装置２０は縦型に設置されているため、照明装置２０の前方の照射による照明は、鏡１０の上側にのみ照明装置が配設された場合と比べて、使用者の鼻等の影が顔にできにくく、使用者の顔を明るく照らすことができる。また、右側の照明装置２０の開いた鏡１０側の側方向の照射による照明は、開いた鏡１０に対応する収納部９を明るく照らすことができる。
【００２５】
図２は、図１の洗面化粧台のミラーキャビネットに設けられた照明装置の斜視図及びＡ部の分解斜視図である。
【００２６】
照明装置２０は、光源２１と、この光源２１からの光を導出して外部に発光する導光部材２５とを備える。光源２１は、鏡１０の上端側に配設されている。さらに鏡１０の下端側にも光源２１を設けることもできる。また、いずれか一方側のみ光源２１を設けることもできる。導光部材２５は、縦長の棒状に形成されており、上下方向を長手方向として鏡１０の上端側から下端側にかけて延出する形で上下の光源２１の間に配設される。
【００２７】
光源２１は、ＬＥＤ（発光ダイオード）２２と、このＬＥＤ２２を搭載する基板２３と、この基板２３を収納する基板ケース２４とを有して構成される。基板ケース２４は、円筒形状を有しており、金属や合成樹脂等の剛性部材で形成することができる。
光源２１は、導光部材２５の端面に対向して配置され、ＬＥＤ２２は、その光の出射方向が導光部材２５の長手方向に沿った方向になるように配置される。
【００２８】
導光部材２５は、透光性を有し屈折率の高いアクリル樹脂やポリカーボネート樹脂等の合成樹脂で形成される。ガラス等の部材で形成することもできる。合成樹脂で形成する場合には、押出工法等によって形成することができる。この導光部材２５は、断面が多角形状又は円形状に形成されている。
導光部材２５の側面の一部には長手方向全長に亘って発光部２６が形成されており、導光部材２５に導入された光源２１の光がこの発光部２６から一方向に外部に向けて出射され、一方向を照らすようになっている。
【００２９】
導光部材２５の側面には、発光部２６とは反対側の位置に、光拡散部を設けることもできる。光拡散部は、反射性の物質を側面に印刷ないし蒸着したりすることによって構成することができる。また、断面視Ｖ字状の溝条を側面に複数列形成することによって構成することもできる。この光拡散部によって、導光部材２５の内部に導入された光源２１からの光を発光部２６からより効果的に一方向に出射させることができる。また、発光部２６の上下方向の輝度分布をより均一化することができる。
【００３０】
上述したように、照明装置は、前方又は収納部を照射可能とされており、鏡の開閉状態と連動して照射方向を変えている。照明装置の照射方向を変える方式としては、照明装置を上下方向の軸廻りに回転させて照射方向を変える方式（回転方式）や、照明装置の照射方向を反射によって変える方式（反射方式）等がある。回転方式は、ばね等の弾性体を利用した方式やリンク方式等がある。以下、それぞれの方式について説明する。
【００３１】
＜弾性体を利用した方式＞
図３は、本発明の一実施形態であるミラーキャビネットを備えた洗面化粧台の要部を示した斜視図及びＢ部拡大図であり、ミラーキャビネットの鏡を閉じた状態を示している。図４は、図３の洗面化粧台の要部を示した斜視図であり、ミラーキャビネットの中央ミラーを開いた状態を示している。図３のＢ部拡大図及び図４はそれぞれ、駆動部カバーを外した状態を示している。なお、図１−図２に示した実施形態と同じ部分には同一の符号を付し、その説明を省略する。
【００３２】
図３及び図４の照明装置３０は、光源２１と導光部材２５とが連結されており、上下方向を軸心にして光源２１と導光部材２５とが一体に回転可能な状態で前面開口の照明ケース３６内に収納されている。この照明装置３０は、ねじ等の固着具によって照明ケース３６がキャビネット本体８の縦板前面に取り付けられることで、サイドミラー１１と中央ミラー１２との間に取着され、上下方向の軸廻りに回転自在に保持されている。
【００３３】
照明ケース３６内には、光源２１の上側に、上下方向を軸心とした回転軸３１が設けられ、さらにその上側には弾性体３３が設けられている。回転軸３１は、光源２１の基板ケース２４と一体に形成されている。また、その軸廻りには歯車が形成されており第１歯車３２を構成している。弾性体３３は、中央ミラー１２を開いた状態において照明装置３０に対してその回転方向に弾性付勢する部材である。照明ケース３６の前面には、照明装置３０の光源２１、回転軸３１、弾性体３３、及び後述する駆動部材４０を覆う駆動部カバー３７が設けられている。
【００３４】
本実施形態では、弾性体３３をねじりコイルばね３４で構成しており、その回転方向にエネルギーを蓄積した状態でねじりコイルばね３４の一端を回転軸３１に連結し、他端を照明ケース３６に連結して、照明装置３０を照明ケース３６内に保持している。図４に示されるように、中央ミラー１２を開いた状態では、ねじりコイルばね３４の回転方向の復元力によってこのねじりコイルばね３４に連結する回転軸３１が所定の位置に回転配置する。そして、この回転軸３１と一体とされた光源２１に連結する導光部材２５の発光部から中央ミラー１２側の側方向に向けて照射するようになっている。この導光部材２５の発光部の中央ミラー１２側の側方向の照射によって、照明装置３０は中央ミラー１２に対応する収納部９を照らすようになっている。
【００３５】
ねじりコイルばね３４の回転方向の復元力による回転軸３１の回転を規制するために、光源２１の基板ケース２４の周縁部の一部に、径方向に突出するストッパー３５が設けられている。図４に示されるように、中央ミラー１２を開いた状態においては、ねじりコイルばね３４の回転方向の復元力によって回転軸３１と一体とされた光源２１の基板ケース２４が回転する。このときストッパー３５の照明ケース３６への接触により回転軸３１の回転が規制される。この回転軸３１の回転が規制された状態において、照明装置３０は弾性付勢された状態で保持され、導光部材２５の発光部から中央ミラー１２側の側方向に向けて照射するようになっている。
【００３６】
図３に示されるように、中央ミラー１２を閉じた状態においては、ねじりコイルばね３４はその回転方向にさらにエネルギーが蓄積され、照明装置３０は弾性付勢に抗した状態で保持される。この状態において、照明装置３０は前方を照らすようになっている。
【００３７】
本実施形態では、中央ミラー１２の開閉動作と連動して照明装置３０を回転させる駆動部材４０が設けられている。この駆動部材４０は、上下方向を軸心としてその軸廻りに回転自在とされている。また、駆動部材４０の軸廻りには歯車が形成されており第２歯車４１を構成している。この駆動部材４０は、第２歯車４１と回転軸３１の第１歯車３２とが係合可能に照明ケース３６の軸受け３８によって軸支されており、駆動部材４０の回転と連動して回転軸３１が回転し、この回転軸３１の回転に伴って照明装置３０が回転するようになっている。
【００３８】
駆動部材４０の第２歯車４１の周縁部の一部に、径方向に突出する凸部４２が設けられている。この凸部４２は、中央ミラー１２を閉じる際に中央ミラー１２の裏面側と接触可能に形成されている。図５に示されるように、中央ミラー１２を閉じる方向に中央ミラー１２を押し込むと、凸部４２が後方に押し込まれて駆動部材４０がＬ方向に回転するようになっている。この駆動部材４０のＬ方向の回転に連動して回転軸３１がＲ方向に回転し、照明装置３０もＲ方向に回転する。中央ミラー１２を完全に閉じた状態においては、上記のとおり、照明装置３０は前方を照らすようになっている。中央ミラー１２を開くと、図４に示されるように、ねじりコイルばね３４の回転方向の復元力によって回転軸３１がＬ方向に回転し、照明装置３０もＬ方向に回転する。また、回転軸３１の回転に連動して駆動部材４０がＲ方向に回転する。中央ミラー１２を完全に開いた状態においては、上記のとおり、照明装置３０は中央ミラー１２に対応する収納部９を照らすようになっている。
【００３９】
このように本実施形態では、中央ミラー１２の開閉動作と連動して照明装置３０を回転させて照射方向を変えており、キャビネット本体８の収納部９を使用する際には収納部９を簡便に照らすことができる。また、収納部９を使用しない時には前方の照明によって使用者を照らすことができる。
【００４０】
この弾性体３３を利用した方式の別の実施形態として、上記した回転軸３１、弾性体３３、及び駆動部材４０の構成をさらに照明装置３０の下側に設けることができる。これら構成を照明装置３０の下側のみ設けることもできる。また、サイドミラー１１の開閉動作と連動して照明装置３０を回転させて照明装置３０の照射方向を変えることもできる。さらにまた、上記した実施形態では、弾性体３３を回転軸３１に連結して回転軸３１を弾性付勢することによって照明装置２０を弾性付勢しているが、弾性体３３を駆動部材４０に連結して駆動部材４０を弾性付勢することもできる。駆動部材４０が弾性付勢されると、照明装置３０は、回転軸３１を介して弾性付勢される。
【００４１】
＜リンク方式＞
図６は、本発明の別の一実施形態であるミラーキャビネットを備えた洗面化粧台の要部を示した斜視図であり、（ａ）は鏡を閉じた状態、（ｂ）は鏡を開いた状態を示す。なお、図１−図２に示した実施形態と同じ部分には同一の符号を付し、その説明を省略する。
【００４２】
図６の中央ミラー１２は、左右両側端部のうち一方側の側端部がミラー回転軸４３で上下方向に軸支されており、片開き式に開閉自在に保持されている。このミラー回転軸４３は中央ミラー１２の側端部の上下に一体に設けられている。この中央ミラー１２の他方側の側端部側に配設されている照明装置５０は、下端部に、回転軸５１が設けられている。この回転軸５１は上下方向を軸心として照明装置５０と一体に形成されており、照明装置５０は上下方向の軸廻りに回転自在に保持されている。
【００４３】
本実施形態においても、中央ミラー１２の開閉動作と連動して照明装置５０を回転させる駆動部材５２が設けられている。この駆動部材５２は、中央ミラー１２のミラー回転軸４３と照明装置５０の回転軸５１とを連結する連結棒５３として構成されており、力を伝達するため金属等の剛性部材で形成されている。連結棒５３は、中央ミラー１２のミラー回転軸４３及び照明装置５０の回転軸５１の各々の軸中心点から偏心させた位置で回転可能に連結されている。
本実施形態では、この連結棒５３によって、中央ミラー１２の開閉に伴うミラー回転軸４３の回転に連動して照明装置５０の回転軸５１が回転し、照明装置５０が回転するようになっている。
【００４４】
図６において、Ｐ１はミラー回転軸４３の軸中心点、Ｑ１は回転軸５１の軸中心点、Ｐ２はミラー回転軸４３と連結棒５３との連結点、Ｑ２は回転軸５１と連結棒５３との連結点である。図６（ａ）に示されるように、中央ミラー１２を閉じた状態では、照明装置５０は前方を照らすようになっている。この状態において、連結点Ｐ２及びＱ２はそれぞれ、軸中心点Ｐ１及びＱ１の前方側に各軸中心点から偏心して配置されている。図６（ｂ）に示されるように、中央ミラー１２を略直角に開くと、ミラー回転軸４３も略９０°Ｌ方向に回転し、連結点Ｐ２は軸中心点Ｐ１の左側側方の位置に配置される。照明装置５０の回転軸５１もミラー回転軸４３に連結された連結棒５３によって連結点Ｑ２が軸中心点Ｑ１の左側側方の位置に配置されるように略９０°Ｌ方向に回転する。この回転軸５１の回転に伴って、照明装置５０は中央ミラー１２側の側方向に向けて照射する。この照明装置５０の側方向の照射によって、中央ミラー１２に対応する収納部９を照らすことができる。
【００４５】
このように本実施形態では、より簡単な構成で中央ミラー１２の開閉動作と連動して照明装置５０を回転させて照明装置５０の照射方向を変えており、キャビネット本体８の収納部９を使用する際にはその収納部９を簡便に照らすことができる。また、収納部９を使用しない時には使用者を照らすことができる。
【００４６】
このリンク方式の別の実施形態として、サイドミラー１１を片開き式に開閉自在に軸支するミラー回転軸４３を設けて、このミラー回転軸４３と照明装置５０の回転軸５１とを各々の軸中心点から偏心させた位置で連結棒５３で連結することもできる。これによって、サイドミラー１１の開閉動作と連動して照明装置５０を回転させて照明装置５０の照射方向を変えることができる。また、サイドミラー１１を閉じた状態では使用者を照らし、サイドミラー１１を開いた状態ではこのサイドミラー１１に対応する収納部９を照らすことができる。
【００４７】
＜反射方式＞
図７は、本発明のさらに別の一実施形態であるミラーキャビネットを備えた洗面化粧台の要部を示した斜視図及びＣ部拡大図であり、ミラーキャビネットの中央ミラーを閉じた状態を示している。図８は、図７の洗面化粧台の要部を示した斜視図であり、ミラーキャビネットの中央ミラーを開いた状態を示している。なお、図１−図２に示した実施形態と同じ部分には同一の符号を付し、その説明を省略する。
【００４８】
本実施形態では、照明装置６０が、隣合う閉じた状態の鏡１０のうち一方側の鏡１０の側面に向けて照射する方向に配設されている。図７及び図８では、右側のサイドミラー１１と中央ミラー１２との間に取着されている照明装置６０が、閉じた状態の中央ミラー１２の側面に向けて照射する方向に配設されている。このように配設された照明装置６０は、中央ミラー１２を開いた状態では、図８に示されるように、開いた鏡１０（中央ミラー１２）側の側方向に向かって照射することができる。これによって中央ミラー１２に対応する収納部９を照らすことができる。
【００４９】
また、照明装置６０の照射方向の鏡１０（中央ミラー１２）の側端面には、反射部６１が設けられている。この反射部６１は上下方向に亘って照明装置６０に対応して配設されている。
【００５０】
反射部６１は、鏡１０を閉じた状態において照明装置６０から照射された光を前方に向けて反射させる部材である。したがって、中央ミラー１２を閉じた状態では、図７のＣ部拡大図に示されるように、右側の照明装置６０から中央ミラー１２側の側方向に照射された光を前方方向に照射方向を変えて照射することができる。
【００５１】
反射部６１は、中央ミラー１２の側端部から後方向に、隣接する照明装置６０に向かって円弧状に湾曲する曲面を有する。このような曲面を有する反射部６１に向けて側方から照射された光は前方方向に反射される。もちろん、反射部６１の形状は、鏡１０を閉じた状態において照明装置６０から照射された光を前方に向けて反射させる形状であればこれに限定されない。所定の角度で傾斜した平面を段階的に角度を変えて連続させた形状とすることもできる。
【００５２】
この反射部６１は、中央ミラー１２の側端面から後方向に延びその先端において隣接する照明装置６０に向かって延びる断面視Ｌ字形状の反射部ケース６２に取り付けられている。
【００５３】
反射部６１の前方には、透明カバー６３が反射部ケース６２に取着されている。この透明カバー６３は透光性を有する合成樹脂等で構成され、照明装置６０が照射する光及びその反射光が透過可能に形成されている。透明カバー６３は前板部６４と後板部６５とを有して断面視Ｌ字状に形成されている。透明カバー６３の前板部６４はその前面が平面形状を有しており、透明カバー６３の前板部６４の前面が中央ミラー１２及びサイドミラー１１の前面と略同一面上になるように透明カバー６３が配設されている。これによって外観性を向上させることができる。ここで、略同一面上とは、同一面上であることも含む。
【００５４】
また、本実施形態では、照明装置の前方に照明カバー６６が設けられている。この照明カバー６６は、透光性を有する合成樹脂等で構成され、照明装置６０が照射する光が透過可能に形成されている。この照明カバー６６はその前面が平面形状を有しており、照明カバー６６の前面が中央ミラー１２及びサイドミラー１１の前面と略同一面上になるように照明カバー６６が配設されている。これによって外観性を向上させることができる。
【００５５】
このように本実施形態では、より簡単な構成で中央ミラー１２の開閉動作と連動して照明装置６０の照射方向を変えており、キャビネット本体８の収納部９を使用する際にはその収納部９を簡便に照らすことができる。また、収納部９を使用しない時には使用者を照らすことができる。
【００５６】
この反射方式の別の実施形態として、サイドミラー１１の側端面に反射部６１を設けることもできる。図７では、左側のサイドミラー１１と中央ミラー１２との間に取着されている照明装置６０が、閉じた状態の左側のサイドミラー１１の側面に向けて照射する方向に配設されている。この照明装置６０の照射方向の鏡１０（左側のサイドミラー１１）の側端面には、反射部が設けられている。この実施形態では、左側のサイドミラー１１を閉じた状態では、隣接する照明装置６０からこのサイドミラー１１側の側方向に照射された光の照射方向を前方方向に変えて、使用者を照らすことができる。サイドミラー１１を開いた状態では、サイドミラー１１に対応する収納部９を照らすことができる。
【００５７】
以上、実施形態に基づき本発明を説明したが、本発明は上記の実施形態に何ら限定されるものではなく、その要旨を逸脱しない範囲内において各種の変更が可能である。
【符号の説明】
【００５８】
８  キャビネット本体
９  収納部
１０  鏡
２０，３０，５０，６０  照明装置
３１，５１  回転軸
３２  第１歯車
３３  弾性体
４０  駆動部材
４１  第２歯車
４３  ミラー回転軸
５３  連結棒
６１  反射部
６３  透明カバー
７０  ミラーキャビネット
【図１】
0005838375.tif 000002
【図２】
0005838375.tif 000003
【図３】
0005838375.tif 000004
【図４】
0005838375.tif 000005
【図５】
0005838375.tif 000006
【図６】
0005838375.tif 000007
【図７】
0005838375.tif 000008
【図８】
0005838375.tif 000009